(57)【要約】【課題】  高純度なホスゲンを安全かつ低コストで得るためのホスゲンの製造方法を提供する。【解決手段】  塩素ガス、酸素ガスおよび炭酸ガスを含む混合ガスを塩素精製塔に導入し、多段蒸留によって精製塩素を得る精製工程と、活性炭触媒の存在下で、該精製塩素を一酸化炭素ガスと反応させてホスゲンを得るホスゲン生成工程と、を含むホスゲンの製造方法に関する。精製工程において、塩素精製塔の入口部における混合ガス中の炭酸ガス濃度は、５〜６０体積％の範囲内に維持されることが好ましい。また、精製塩素における酸素濃度が５００ｖｏｌｐｐｍ以下とされることが好ましい。【選択図】        図１
2005298320.tif 000002
【特許請求の範囲】
【請求項１】
塩素ガス、酸素ガスおよび炭酸ガスを含む混合ガスを塩素精製塔に導入し、多段蒸留によって精製塩素を得る精製工程と、
活性炭触媒の存在下で、前記精製塩素を一酸化炭素ガスと反応させてホスゲンを得るホスゲン生成工程と、
を含む、ホスゲンの製造方法。
【請求項２】
前記精製工程において、前記塩素精製塔の入口部における前記混合ガス中の炭酸ガス濃度が５〜６０体積％の範囲内に維持される、請求項１に記載のホスゲンの製造方法。
【請求項３】
前記精製塩素における酸素濃度が５００ｖｏｌｐｐｍ以下とされる、請求項１に記載のホスゲンの製造方法。
【請求項４】
前記塩素ガスが酸化ルテニウムを含む触媒を用いて生成される、請求項１に記載のホスゲンの製造方法。
【請求項５】
前記多段蒸留の理論段数が２〜８段である、請求項１に記載のホスゲンの製造方法。
【請求項６】
前記塩素精製塔の塔頂において前記混合ガスの冷却温度が−５０〜−３０℃の範囲内に設定される、請求項１に記載のホスゲンの製造方法。
【発明の詳細な説明】
【技術分野】
【０００１】
本発明は、高純度のホスゲンを安全かつ低コストで得るためのホスゲンの製造方法に関する。
【背景技術】
【０００２】
ホスゲンは、種々の合成化学材料の製造、特にウレタン原料であるイソシアネートの製造やポリカーボネートの製造等における原料として広く使用される。ホスゲンの製造は、活性炭を触媒に用いて塩素と一酸化炭素とを反応させる方法により行なわれるのが一般的である。生成するホスゲンの純度は、塩素、一酸化炭素、および触媒である活性炭に含まれる不純物を低減させること等によって向上させることができる。たとえば一酸化炭素中に不純物として水素が存在すると該水素が塩素と反応して塩酸を生成する。また該一酸化炭素中に不純物として水分が存在する場合には、ホスゲン化反応によって生成したホスゲンを二酸化炭素と塩酸に分解してしまう。一方、塩素中に不純物として炭化水素類が存在する場合、塩酸や塩素化炭化水素を生成する。すなわち、これらの不純物はホスゲン化反応の原料と反応する他、該不純物によって生成される副生成物が触媒である活性炭に吸着されてホスゲン化反応に対する触媒活性を低下させるため、該不純物の存在はホスゲンの収率を低下させる原因となる。よって上記の不純物は塩素および一酸化炭素それぞれの精製工程で取り除かれることが好ましい。
【０００３】
たとえば特許文献１には、活性炭を主成分とする触媒層を通して塩素と一酸化炭素とを反応させるホスゲンの製造方法において、該触媒層として、塩素および一酸化炭素に実質的に不活性な材料で希釈した触媒層を使用する方法が提案されている。特許文献１の方法によれば、ホスゲン化反応の反応温度を低下させることにより、生成ホスゲン中の不純物の含量を減少させることができる。
【０００４】
しかし、塩素と一酸化炭素との混合ガス中に酸素が一定以上存在する場合、触媒である活性炭を酸素が酸化することによって、触媒としての寿命が低下するという問題がある。
【０００５】
一方、ホスゲン原料となる塩素の純度を向上させる方法として、たとえば特許文献２には、塩素、二酸化炭素、および非凝縮性ガスよりなる混合ガスから塩素を回収する際において、混合ガスを圧縮、冷却し、非凝縮性ガスを主成分とする残ガスと塩素を主成分とする凝縮液とに分け、凝縮液を放散塔に導入し、該凝縮液中に溶存する二酸化炭素と非凝縮性ガスとを放散する方法が記載されている。特許文献２の実施例には、回収塩素の純度を９９．０〜９９．２％にできる旨が記載されている。しかし、特許文献２の方法において回収される塩素の純度は未だ改善の余地を有する。また特許文献２は回収塩素中の酸素濃度については言及していないため、ホスゲンの製造において特に酸素濃度が高い場合には、触媒である活性炭の酸化によって触媒としての寿命が低下するという問題がある。また、酸素を多く含むホスゲンがたとえばイソシアネートプロセスに用いられる場合、酸素、および窒素の存在による排ガスの発生が問題となる。
【０００６】
また、たとえば特許文献３には、塩化水素と酸素との反応で塩素を得る際に、少なくとも塩素と酸素とを含む混合ガスを、蒸留塔を用い、１０〜１００段の理論段数で蒸留することによって塩素の精製を行なう方法が記載されている。しかし、特許文献３の方法は理論段数が多いため、設備が過大となり、好ましいとは言えない。すなわち、たとえば特許文献３の方法における１０以上という高い理論段数の蒸留塔は比較的大型であり、不経済である。一方、一般的な理論段数の蒸留塔で、還流量を増やすことにより、酸素濃度が検出下限以下になるまで塩素を精製することも可能であるが、還流量を増加させるためには、蒸留塔のリボイラーの炊き上げ量を増やしたり、蒸留塔の塔頂のコンデンサーの冷却負荷を高める必要があり、不経済であるという問題を有する。
【特許文献１】特開平８−１５７２０６号公報
【特許文献２】特開平２−８６８３号公報
【特許文献３】米国特許出願公開第２００４／００５２７１８号公報
【発明の開示】
【発明が解決しようとする課題】
【０００７】
本発明は上記の課題を解決し、高純度なホスゲンを安全かつ低コストで得るためのホスゲンの製造方法を提供することを目的とする。
【課題を解決するための手段】
【０００８】
本発明は、塩素ガス、酸素ガスおよび炭酸ガスを含む混合ガスを塩素精製塔に導入し、多段蒸留によって精製塩素を得る精製工程と、活性炭触媒の存在下で、精製塩素を一酸化炭素ガスと反応させてホスゲンを得るホスゲン生成工程と、を含むホスゲンの製造方法に関する。
【０００９】
本発明の精製工程において、塩素精製塔の入口部における混合ガス中の炭酸ガス濃度は、５〜６０体積％の範囲内に維持されることが好ましい。
【００１０】
また、精製塩素における酸素濃度が５００ｖｏｌｐｐｍ以下とされることが好ましい。
【００１１】
本発明において、塩素ガスは酸化ルテニウムを含む触媒を用いて生成されることが好ましい。
【００１２】
本発明の精製工程において、多段蒸留の理論段数は２〜８段とされることが好ましい。
【００１３】
また、本発明の精製工程において、塩素精製塔の塔頂における混合ガスの冷却温度が−５０〜−３０℃の範囲内に設定されることが好ましい。
【発明の効果】
【００１４】
本発明によれば、塩素と未反応酸素とを主成分とするガスから塩素を蒸留精製する際に炭酸ガスを共存させることによって、蒸留精製の効率を向上させるとともに、特に酸素濃度が低減された高純度の精製塩素を得ることができる。これにより高純度のホスゲンを安全かつ低コストで製造することが可能となる。
【発明を実施するための最良の形態】
【００１５】
本発明においては、たとえば塩化水素ガスと酸素ガスとを反応させて塩素ガスを得る塩素ガス生成工程によって塩素ガスを生成させ、該塩素ガス、該塩素ガス生成工程における未反応の該酸素ガス、および炭酸ガス、を含む混合ガスを塩素精製塔に導入し、多段蒸留によって精製塩素を得る精製工程と、活性炭触媒の存在下で、該精製塩素を一酸化炭素ガスと反応させてホスゲンを得るホスゲン生成工程とを含む方法によってホスゲンを製造する。図１は、本発明におけるホスゲンの製造工程について説明する図である。本発明における典型的なホスゲンの製造工程は、前処理塔１０１における、塩素ガスの原料となる塩化水素ガスの不純物を除去するための前処理工程、酸化反応塔１０２における塩素ガス生成工程、吸収塔１０３における未反応の塩化水素および水を除去するための吸収工程、乾燥塔１０４における乾燥工程、洗浄塔１０５における洗浄工程、塩素精製塔１０６における塩素の精製工程、塩酸吸収塔１０７における未反応塩化水素の吸収工程、活性炭塔１０８における不純物除去工程、ホスゲン化反応塔１０９におけるホスゲン生成工程、等の工程により構成される。
【００１６】
本発明において使用される塩化水素ガスは、たとえば塩素化合物の熱分解反応や燃焼反応、有機化合物のホスゲン化反応または塩素化反応、焼却炉の燃焼等において発生する塩化水素含有ガスとして供給されることができる。本発明においては、特にホスゲンの製造時に発生する塩化水素含有ガスを用いて塩素ガスを生成させ、ホスゲン生成工程にリサイクルすることが好ましい。
【００１７】
塩化水素含有ガス中の塩化水素ガスの濃度は、１０体積％以上、さらに５０体積％以上、さらに８０体積％以上とされることが好ましい。塩化水素含有ガス中の塩化水素ガスの濃度が１０体積％より低い場合には、塩素の精製工程で得られる未反応酸素を主成分とするガス中の酸素濃度が低くなり、塩素ガス生成工程へ循環供給される該ガスの量を少なくしなければならないことによって製造効率が低下する傾向がある。
【００１８】
塩化水素含有ガスにおける塩化水素以外の成分としては、オルトジクロロベンゼン、モノクロロベンゼン等の塩素化芳香族炭化水素、トルエン、ベンゼン等の芳香族炭化水素、塩化ビニル、１，２−ジクロロエタン、塩化メチル、四塩化炭素、塩化エチル等の塩素化炭化水素、メタン、アセチレン、エチレン、プロピレン等の炭化水素、窒素、アルゴン、二酸化炭素、一酸化炭素、ホスゲン、水素、硫化カルボニル、硫化水素、二酸化硫黄、臭素、ヨウ素等の無機ガス、等が含有されていても良い。なお、塩素ガス生成工程において、塩素化芳香族炭化水素及び塩素化炭化水素は二酸化炭素と水と塩素とに酸化され、芳香族炭化水素及び炭化水素は二酸化炭素と水とに酸化され、一酸化炭素は二酸化炭素に酸化され、ホスゲンは二酸化炭素と塩素とに酸化される。
【００１９】
本発明において使用される酸素ガスは、酸素ガスのみ単独で供給されても、たとえば空気等として供給されても良く、酸素含有ガスとして供給されれば良い。酸素含有ガス中の酸素の濃度は、８０体積％以上、さらに９０体積％以上であることが好ましい。酸素の濃度が８０体積％より低い場合、塩素の精製工程で得られる未反応酸素を主成分とするガス中の酸素濃度が低くなり、塩素ガス生成工程へ循環供給される該ガスの量を少なくしなければならないことによって製造効率が低下する傾向がある。酸素濃度が８０体積％以上の酸素含有ガスは、たとえば空気の圧力スイング法や深冷分離等の通常の工業的な方法によって得ることができる。
【００２０】
＜前処理工程＞
本発明においては、塩素ガス生成工程の前に塩化水素含有ガスを経路２０２から前処理塔１０１に導入し、芳香族化合物、塩素化脂肪族炭化水素、塩素化芳香族炭化水素、高沸点の無機化合物等の不純物をあらかじめ除去することが好ましい。前処理方法としては一般に公知の方法を採用することができ、たとえば活性炭、ゼオライト等による吸着処理等が挙げられる。また、塩化水素含有ガスを水または希塩酸に吸収させ、得られた吸収液から塩化水素ガスを放散させて、イナートガス成分、高沸点成分を除去しても良い（たとえば特開２０００−３４１０５号公報）。
【００２１】
＜塩素ガス生成工程＞
前処理工程において不純物を除去された塩化水素含有ガスとともに、酸素含有ガスが経路２０１、２０３を通り、酸化反応塔１０２に導入される。該酸化反応塔１０２内では、以下の反応、すなわち、
４ＨＣｌ＋Ｏ2→２Ｃｌ2＋２Ｈ2Ｏ
により塩化水素が酸素によって酸化され、塩素が生成する。
【００２２】
塩化水素と酸素とによる塩素の発生反応において、塩化水素１モルに対する酸素の理論モル量は０．２５モルであるが、本発明の塩素ガス生成工程においては、酸素を塩化水素に対する理論量以上供給することが好ましく、塩化水素１モルに対し酸素を０．２５〜２モルの範囲内で供給することが特に好ましい。上記で酸素の量が０．２５モルより少ない場合、塩化水素の転化率が低くなる場合がある。一方酸素の量が２モルより多い場合、生成した塩素と未反応酸素との分離が困難になる場合がある。
【００２３】
塩素ガス生成工程においては、ルテニウムおよび／またはルテニウム化合物等を含む触媒の存在下、塩化水素を酸素で酸化し、塩素、水、未反応塩化水素及び未反応酸素を主成分とするガスを得ることが好ましい。ルテニウムおよび／またはルテニウム化合物を触媒として用いることにより、触媒成分の揮発や飛散による配管等の閉塞トラブルを防止するとともに、揮発または飛散した触媒成分の処理工程が不要となる。さらに、化学平衡の観点でもより有利な温度で塩素を製造できるため、乾燥工程、精製工程、吸収工程等の後工程を簡略化し、設備コスト及び運転コストを低く抑制することができる。
【００２４】
上記のルテニウムおよび／またはルテニウム化合物を含む触媒としては、公知の触媒（たとえば特開平９−６７１０３号公報、特開平１０−１８２１０４号公報、特開平１０−１９４７０５号公報、特開平１０−３３８５０２号公報、特開平１１−１８０７０１号公報に記載されるもの）を用いることができる。
【００２５】
本発明の塩素ガス生成工程においては、酸化ルテニウムを含む触媒を用いることが特に好ましい。酸化ルテニウムを含む触媒を用いた場合、塩化水素の転化率が著しく向上するという利点を有する。触媒中の酸化ルテニウムの含有量は、０．１〜２０質量％の範囲内とされることが好ましい。酸化ルテニウムの量が０．１質量％よりも少ない場合、触媒活性が低く塩化水素の転化率が低くなる場合があり、一方、酸化ルテニウムの量が２０質量％よりも多い場合には触媒価格が高くなる場合がある。
【００２６】
特に、たとえば特開平１０−３３８５０２号公報に記載されるような、酸化ルテニウムの含有量が０．１〜２０質量％であり、酸化ルテニウムの中心径が１．０〜１０．０ナノメートルである担持酸化ルテニウム触媒または酸化ルテニウム複合酸化物型触媒もまた好ましく用いられる。
【００２７】
塩素ガス生成工程において使用される触媒は、たとえば、二酸化シリコン、グラファイト、ルチル型またはアナターゼ型の二酸化チタン、二酸化ジルコニウム、酸化アルミニウム等の担体に担持させて用いることが好ましい。特に酸化ルテニウムをこれらの化合物から選択される担体に担持させて用いることが好ましい。
【００２８】
酸化反応塔１０２の方式としては、固定床気相流通方式や流動層気相流通方式等が挙げられる。流動層気相流通方式では触媒がガスに同伴されて飛散する場合があるが、固定床気相流通方式では触媒が飛散しないため、未反応の塩化水素を塩酸として回収する際に該塩酸が触媒粉により汚染される危険性が少ない。よって本発明においては固定床気相流通方式が好ましく採用される。特に、たとえば特開２０００−２７２９０７号公報に記載される方法によって、反応式のうち少なくとも２の反応域の温度制御を熱交換方式で行なうことが好ましい。
【００２９】
塩素ガス生成工程における触媒の使用量（体積）は、反応圧力０．１ＭＰａにおける塩化水素の供給速度との比ＧＨＳＶで表すと、通常１０〜２００００ｈ-1とされる。反応圧力は、通常０．１〜５ＭＰａで行われる。反応温度は、好ましくは２００〜５００℃、更に好ましくは２００〜３８０℃とされる。反応温度が２００℃以上であれば塩化水素の転化率が十分高い点で好ましく、一方反応温度が５００℃以下であれば触媒成分の揮発が抑制される点で好ましい。
【００３０】
酸化反応塔１０２としては、たとえば反応管の外側にジャケット部を有するもの等が好ましく挙げられる。この場合、反応管内の温度はジャケット部の熱媒体によって制御されることができる。塩化水素と酸素との反応で生成した反応熱は、熱媒体を通じて、スチ−ムを発生させることにより回収することができる。
【００３１】
熱媒体としては、溶融塩、有機熱媒体または溶融金属等が好ましく使用され、特に熱安定性や取り扱いの容易性等の点から溶融塩が好ましい。溶融塩の好ましい組成としては、たとえば硝酸カリウム５０質量％と亜硝酸ナトリウム５０質量％との混合物、硝酸カリウム５３質量％と亜硝酸ナトリウム４０質量％と硝酸ナトリウム７質量％との混合物等を挙げることができる。
【００３２】
＜吸収工程＞
本発明においては、塩素ガス生成工程の後に吸収工程を設けることができる。すなわち、塩素ガス生成工程において生成した塩素、水、未反応塩化水素および未反応酸素を含むガスを、経路２０４を通り吸収塔１０３に導入し、経路２１６から吸収塔１０３に導入された水および／または希塩酸と接触させ、および／または、冷却することにより、塩化水素と水とを主成分とする溶液を回収し、塩素と未反応酸素とを主成分とするガスを得ることができる。水および／または希塩酸との接触は、接触温度が０〜１００℃、圧力が０．０５〜１ＭＰａで行われることが好ましい。接触させる希塩酸の濃度は、２５質量％以下が好ましい。また、たとえば特開２００３−２６１３０６号公報に記載される方法等を採用し、塩素水和物の析出を防止する機構を採用することも好ましい。
【００３３】
塩化水素と水とを主成分とする回収溶液は、溶液中に含まれる塩素を、加熱、および／または、窒素等の不活性なガスのバブリングにより除去した状態で、または上記の回収溶液をそのままの状態で、電解槽のｐＨ調整、ボイラ−フィ−ド水の中和、アニリンとホルマリンの縮合転位反応、塩酸水電解の原料、食品添加用、等の用途に再利用することができる。また、たとえばソーダハンドブック１９９８.ｐ３１４−３１９の図に示される公知の方法を用い、塩酸の全部または一部を放散させてＨＣｌガスを得、これを再び塩素ガス生成工程において原料として供給することもできる。これにより塩素の生成収率を高めることが可能である。さらに、たとえば特開２００１−１３９３０５号公報に記載される公知の方法で、放散後の残塩酸から水を除去することで塩素の収率をほぼ１００％にすることも可能である。また、塩化水素と水を主成分とする回収溶液を経路２１７から塩酸吸収塔１０７に導入し、さらに経路２１４を通って活性炭塔１０８に導入することにより、経路２１５から３５％塩酸を回収することができる。なお、３５％塩酸を回収する場合には、原料の塩化水素含有ガスを経路２１３から塩酸吸収塔１０７に所定量導入することにより濃度調節を行なっても良い。
【００３４】
＜乾燥工程＞
本発明においては、上記の吸収工程の後、塩素と未反応酸素とを主成分とするガス中の水分を除去するための乾燥工程を設けることができる。塩素と未反応酸素とを主成分とするガス中の水分は、乾燥工程後において０．５ｍｇ／ｌ以下、さらに０．１ｍｇ／ｌ以下とされることが好ましい。塩素と未反応酸素とを主成分とするガス中の水分を除去するための乾燥剤として好適な化合物としては、硫酸、塩化カルシウム、過塩素酸マグネシウム、ゼオライト等が挙げられるが、中でも硫酸が好ましい。水分を除去する方法としては、塩素と未反応酸素とを主成分とするガスを、経路２０５を通り乾燥塔１０４に導入し、該乾燥塔１０４内で、経路２１８から導入された硫酸と接触させる方法等が挙げられる。塩素と未反応酸素とを主成分とするガスに接触させられた硫酸は、廃硫酸として経路２１９から系外に排出される。ここで、硫酸の濃度は９０質量％以上とされることが好ましい。硫酸濃度が９０質量％よりも小さいと、ガス中の水分が十分に除去されない場合がある。塩素と未反応酸素とを主成分とするガスと硫酸との接触温度は０〜８０℃、圧力は０．０５〜１ＭＰａに設定されることが好ましい。
【００３５】
乾燥剤として硫酸を使用した場合には、乾燥工程の直後で硫酸ミストを除去することが好ましく、たとえば、ブリンクエリミネーターや、特開２００３−１８１２３５号公報に記載される方法等を採用することができる。
【００３６】
＜精製工程＞
上記の乾燥工程を経た後、塩素と未反応酸素とを主成分とするガスを、塩素を主成分とする液体またはガスと未反応酸素を主成分とするガスとに分離することによって精製塩素を得る精製工程が設けられる。精製工程においては、塩素精製塔１０６に、塩素ガス、未反応酸素ガスおよび炭酸ガスを含む混合ガスを供給し、多段蒸留によって精製塩素を得る。
【００３７】
本発明においては、塩化水素含有ガス中の有機物が酸素と反応することにより二酸化炭素が生ずることがあるが、この二酸化炭素が一定の濃度で蓄積されるよう、経路２０９から外部に排出されるパージガスの量を調整してもよく、この場合、塩素と未反応酸素とを主成分とするガスが吸収塔１０３から乾燥塔１０４に導入される際の経路２０５において炭酸ガスが所定の濃度で導入され、塩素ガス、未反応酸素ガス、炭酸ガスを含む混合ガスが経路２０６、２０７を通って塩素精製塔１０６に供給される。また塩素精製塔１０６に直接炭酸ガスが供給されても良い。なお経路２０６と２０７との間にコンプレッサを設けることにより、塩素精製塔１０６内の圧力調整を容易にすることが好ましい。
【００３８】
本発明においては、塩素と未反応酸素とを主成分とするガスに所定濃度の炭酸ガスを共存させた状態で蒸留を行なう。すなわち上記ガス中の塩素を凝縮させ、非凝縮性の酸素ガスおよび窒素ガスを放散除去することによって精製塩素を得る。炭酸ガスを共存させた状態で蒸留を行なう場合、液化塩素中に溶存する酸素および窒素が二酸化炭素に置換されることによって酸素および窒素の放散効率が向上し、未反応酸素、および不純物として残留する窒素を効率的に分離除去することができるため、高純度の精製塩素を比較的短時間で得ることができる。
【００３９】
精製工程においては、塩素精製塔１０６の入口部における混合ガス中の炭酸ガス濃度が、５〜６０体積％の範囲内に維持されることが好ましく、さらに１０〜５０体積％の範囲内、さらに１０〜３０体積％の範囲内とされることが好ましい。炭酸ガス濃度が５体積％以上であれば未反応酸素および不純物である窒素の除去効果が十分得られ、炭酸ガス濃度が６０体積％以下であれば、冷却負荷が増大したり、装置が大型化する等のデメリットが少ない。
【００４０】
精製工程における加圧および／または冷却の方法については、たとえば、Ｃｈｅｍｉｓｔｒｙ  ａｎｄ  Ｉｎｄｕｓｔｒｙ  Ｊａｎ．１３，７６−８３，（１９６２）、特開平３−２６２５１４号公報、特表平１１−５００９５４号公報等に記載される公知の方法が採用され得る。すなわち、混合ガスを塩素精製塔１０６に供給し、該塩素精製塔１０６内で、加圧および／または冷却によって混合ガス中の塩素ガスを液化する。これにより塩素と未反応酸素とを分離する。
【００４１】
加圧および／または冷却の条件は、塩素が液体状態で存在し得る圧力および温度の範囲内に制御されるが、設備上の安全および製造コストの観点から、通常の運転においては、圧力は０．５〜５ＭＰａ、冷却温度は−７０〜−４０℃の範囲内に設定されることが好ましい。上記の蒸留により液化塩素を主成分とする精製塩素が得られる。精製塩素は、液体状態のまま、あるいは一部または全部を気化させた後、ホスゲンの製造に用いることができる。なお、液体状態の精製塩素の一部または全部を気化させる際には、前述の乾燥工程で得られるガスとの熱交換を行なうことにより、気化に必要な熱の一部を得ることができ、該精製塩素の気化熱は、たとえば塩素精製塔１０６の入口部における混合ガスの冷却、塩素精製塔１０６の塔頂における塩素ガスの液化等に用いることができる。
【００４２】
本発明においては、精製塩素中の酸素濃度が５００ｖｏｌｐｐｍ以下、さらに１００ｖｏｌｐｐｍ以下、さらに５０ｖｏｌｐｐｍ以下とされることが好ましい。酸素濃度が５００ｖｏｌｐｐｍ以下であれば、ホスゲン生成工程おける活性炭触媒の酸化による寿命低下を防止でき、製造コストの低減が可能である。
【００４３】
本発明においては、塩素と未反応酸素とを主成分とするガスに炭酸ガスを共存させることによって精製工程における蒸留の理論段数を低減し、製造効率を向上させることができる。すなわち本発明の精製工程においては、多段蒸留時の理論段数を２〜８段とすることが可能であり、さらに好ましくは３〜８段、さらに４〜６段とすることができる。本発明の精製工程において理論段数が２段以上であれば精製塩素中の酸素濃度を十分低くすることができ、ホスゲン生成時の安全性確保および製造コスト低減が可能である。また理論段数が８段程度で精製塩素中の酸素濃度を十分低くすることができるため、８段以下とする場合製造効率が良好である。なお、理論段数は、たとえばＭｃＣｈｅｂｅ−Ｔｈｉｅｌｅ（マッケーブ・シーレ）の図解法等により算出することができる。
【００４４】
精製工程においては、還流方式によって蒸留が行なわれることが精製効率の点で好ましい。よって塩素精製塔１０６の塔頂における混合ガスの冷却温度が−５０〜−３０℃の範囲内に設定されることが好ましい。冷却温度が上記の範囲内である場合、塔頂に達した塩素ガスは液化し、酸素ガス、炭酸ガス、窒素ガス等の不純物ガスは気体状態で回収される。
【００４５】
本発明においては、未反応酸素を主成分とするガス中に硫酸ミストが含有される場合は硫酸ミストを除去することが好ましい。この場合、精製工程で分離された未反応酸素を主成分とするガスの一部または全部を、経路２１０を通して洗浄塔１０５に導入し、経路２２０から水が供給された洗浄塔１０５において洗浄処理を施した後、経路２１２および２０３を通って、酸化反応塔１０２における塩素ガス生成工程へ再び供給する循環機構が設けられることが好ましい。該未反応酸素が再び塩素ガス生成反応に使用される場合、該塩素ガス生成反応の歩留まりが向上するため好ましい。また、このとき該洗浄塔１０５で回収される硫酸ミスト等は、経路２１１を通して吸収塔１０３に導入される。ここで、硫酸ミストを除去する方法としては、たとえば以下の公知の方法（特開２００２−１３６８２５号公報）が挙げられる。
【００４６】
上記で循環機構に送られるガスを除いて、未反応酸素を主成分とするガスは経路２０９を通して系外にパージされる。しかしパージガス中には残留塩素が含まれるため、環境への負荷を低減するため、該パージガス中の塩素をさらに除去するための除去機構を設けることが好ましい。塩素を除去する方法としては、該ガスを、たとえばアルカリ金属水酸化物の水溶液、アルカリ金属チオ硫酸塩の水溶液、アルカリ金属亜硫酸塩とアルカリ金属炭酸塩を溶解させた水溶液、アルカリ金属水酸化物とアルカリ金属亜硫酸塩を溶解させた水溶液等と接触させる方法や、ガス中の塩素を分離回収する公知の方法（特開平３−２６２５１４号公報、特開平１０−２５１０２号公報、特表平１１−５００９５４号公報）等が挙げられる。パージガスの量は、精製工程において塩素と分離された未反応酸素を主成分とするガスのうち１〜２０体積％、さらに１〜１０体積％とされることが好ましい。
【００４７】
なお、本発明で得られる精製塩素においては、水素は実質的に検出されないことが好ましい。また、臭素およびヨウ素は精製塩素中の濃度が１０ｐｐｍ以下、三塩化窒素（ＮＣｌ3）は精製塩素中の濃度が１ｗｔｐｐｍ以下とされることが好ましい。
【００４８】
酸素、窒素、二酸化炭素、水素の濃度はたとえばガスクロマトグラフ法、臭素、ヨウ素はたとえば酸化還元滴定法、三塩化窒素はたとえば吸光光度法によりそれぞれ測定することができる。
【００４９】
＜ホスゲン生成工程＞
上記により得られた精製塩素、および一酸化炭素ガスを、それぞれ経路２２１、２０８を通って、活性炭触媒が供給されたホスゲン化反応塔１０９に導入する。該ホスゲン化反応塔１０９内では、塩素と一酸化炭素とから以下の反応、すなわち、
ＣＯ＋Ｃｌ2→ＣＯＣｌ2
によってホスゲンが生成し、経路２２２から製品ホスゲンを得ることができる。
【００５０】
ホスゲン化反応においては、上記の反応式に示すように塩素１モルに対して一酸化炭素１モルが反応する。よって塩素と一酸化炭素とは等モルになるように供給されれば良いが、塩素を効率良くホスゲン化するため、一酸化炭素が塩素に対して僅かに過剰となるように供給することが好ましい。たとえば、塩素１モルに対して一酸化炭素を１．０１〜１．０７モルの範囲内で供給することが好ましい。
【００５１】
本発明で使用される一酸化炭素ガスとしては、合成ガス、カーバイド炉ガス、高炉ガス、製鋼炉ガス等が挙げられる。これらのガスを用いる場合には、吸着塔を通したり、深冷分離を施す等の方法により、あらかじめ一酸化炭素を精製しておくことが好ましい。
【００５２】
また、本発明で使用される活性炭触媒としては、木材、鋸屑、リグニン等の木質系材料、無煙炭、瀝青炭、褐炭、泥炭等の石炭、ヤシ殻等の植物系材料等の粉末や、これらのペレット、タブレット等の造粒物等が挙げられる。活性炭は、水蒸気賦活法、薬品賦活法等により前処理したものが好ましく用いられる。
【００５３】
ホスゲン化反応塔１０９としては、たとえば長さ方向中央部に多数本の反応器が内蔵された多管式の管型反応器が好ましく用いられる。各反応管の間隙には冷却水が供給されるジャケットが構成されることが好ましく、この場合、発熱反応であるホスゲン化反応を効率良く進行させることができる。
【００５４】
なお、精製塩素および一酸化炭素は、図１に示すようにホスゲン化反応塔１０９に対して別個に供給されても良いが、あらかじめ混合された状態で該ホスゲン化反応塔１０９に供給されても良い。
【００５５】
本発明の製造方法において、前処理塔１０１、酸化反応塔１０２、吸収塔１０３、乾燥塔１０４、洗浄塔１０５、塩素精製塔１０６、塩酸吸収塔１０７、活性炭塔１０８、ホスゲン化反応塔１０９を構成する材質としては、金属、ガラス、セラミック等が好ましく挙げられる。金属材料としては、Ｎｉ、ＳＵＳ３１６Ｌ、ＳＵＳ３１０、ＳＵＳ３０４、ハステロイＢ、ハステロイＣ及びインコネル等が挙げられる。
【００５６】
本発明の製造方法によって得られるホスゲンは、特に原料である塩素が高純度であり臭素を殆ど含まないため、たとえばイソシアネートプロセスに使用された場合にもイソシアネートの色目を大幅に改善できる。また、二酸化炭素および窒素の濃度が低減されることによりイソシアネートプロセスに使用される場合の排ガスの問題も改善できる。さらに、原料の塩素におけるＮＣｌ3濃度が低減される。
【００５７】
［実施例］
以下、実施例を挙げて本発明をより詳細に説明するが、本発明はこれらに限定されるものではない。図１に示す製造工程に準じ、以下の手順でホスゲン製造の原料となる精製塩素を製造した。
【００５８】
（実施例）
＜塩素ガス生成工程＞
不純物を除去された塩化水素含有ガスを経路２０１から、酸素含有ガスとして純酸素を経路２０３から、それぞれ固定床気相流通方式を有する酸化反応塔１０２に導入した。酸化反応塔１０２の反応管の外側にはジャケットが構成され、熱媒体としては亜硝酸カリウムと硝酸カリウムとの混合物を使用した。なお塩化水素含有ガス中の塩化水素濃度は９９体積％以上であり、酸素含有ガス中の酸素濃度は９９体積％以上である。塩化水素含有ガスと酸素含有ガスとの導入量は、塩化水素１モルに対して酸素０．５モルが供給されるように調整した。
【００５９】
酸化ルテニウム触媒の存在下、塩化水素を酸素で酸化し、塩素、水、未反応塩化水素及び未反応酸素を主成分とするガスを得た。なお酸化ルテニウム触媒は、酸化チタンを担体とした担持触媒であって、該担持触媒中に酸化ルテニウムが１〜４質量％含有される。触媒の使用量（体積）は、塩化水素の供給量との比ＧＨＳＶで６００ｈ-1とした。反応圧力は０．３ＭＰａ、反応温度は３００〜３６０℃とした。
【００６０】
＜吸収工程＞
塩素ガス生成工程において生成した塩素、水、未反応塩化水素および未反応酸素を主成分とするガスを、経路２０４を通り吸収塔１０３に導入し、経路２１６から吸収塔１０３に導入された水と接触させ、および、冷却することにより、塩化水素と水とを主成分とする溶液を回収し、塩素と未反応酸素とを主成分とするガスを得た。水との接触は、接触温度が３０℃、圧力が０．２ＭＰａで行なった。また、塩素水和物の析出を防止する機構として、供給する水の温度を調節する機構を設けた。塩化水素と水とを主成分とする回収溶液としては塩酸をそのまま回収した。
【００６１】
＜乾燥工程＞
上記の吸収工程の後、塩素と未反応酸素とを主成分とするガス中の水分を除去するための乾燥工程を設けた。塩素と未反応酸素とを主成分とするガス中の水分は、乾燥工程後において１０ｖｏｌｐｐｍとされた。乾燥剤として濃硫酸を用い、塩素と未反応酸素とを主成分とするガスを、経路２０５を通り乾燥塔１０４に導入し、該乾燥塔１０４内で、経路２１８から導入された濃硫酸と接触させた。塩素と未反応酸素とを主成分とするガスに接触させられた硫酸は、廃硫酸として経路２１９から系外に排出された。なお硫酸の濃度は９８質量％とした。塩素と未反応酸素とを主成分とするガスと硫酸との接触温度は２０〜４０℃、圧力は０．２ＭＰａに設定した。
【００６２】
なお乾燥工程の直後で、ブリンクエリミネーターにより硫酸ミストを除去した。
【００６３】
＜精製工程＞
上記の乾燥工程を経た後、塩素と未反応酸素とを主成分とするガスに炭酸ガスを加えて混合ガスとし、該混合ガスを、経路２０６から塩素精製塔１０６に供給した。塩素精製塔１０６の入口部における混合ガス中の炭酸ガス濃度は、１０〜２０体積％に維持した。
【００６４】
塩素精製塔１０６内部の圧力を０．９５ＭＰａ、冷却温度を３０℃に設定し、塩素精製塔１０６の塔頂における混合ガスの冷却温度を−３５℃に設定し、還流にて精製塩素を得た。この塩素精製塔の理論段数は、ＭｃＣｈｅｂｅ−Ｔｈｉｅｌｅ（マッケーブ・シーレ）の図解法を用いた数値計算により算出したところ、４段であった。
【００６５】
上記の方法で得られた精製塩素の組成分析を表１に示す分析方法で行なった。結果を表１に示す。
【００６６】
（比較例）
精製工程において炭酸ガスを加えなかった他は実施例と同様に操作を行ない、精製塩素を得た。この精製塩素の組成分析の分析方法および結果を表１に示す。
【００６７】
【表１】
2005298320.tif 000003
【００６８】
表１の結果より、本発明の方法によれば、高純度の精製塩素を比較的簡便に得られることが分かる。特に酸素濃度については、比較例が５５０ｖｏｌｐｐｍであるのに対し、本発明の方法による実施例では４０ｖｏｌｐｐｍと極めて低いことから、本発明によればホスゲンの製造における触媒活性低下が良好に防止できる精製塩素を得られることが分かる。他の不純物についても、不検出か、僅かな検出濃度であり、実施例の精製塩素を用いた場合にはホスゲンを良好な収率で製造可能である。
【００６９】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７０】
本発明によれば、ホスゲン製造時の触媒活性の低下を効果的に防止して安全性の確保および製造コストの低減を実現するとともに、不純物の少ないホスゲンを得ることが可能となる。
【図面の簡単な説明】
【００７１】
【図１】本発明におけるホスゲンの製造工程について説明する図である。
【符号の説明】
【００７２】
１０１  前処理塔、１０２  酸化反応塔、１０３  吸収塔、１０４  乾燥塔、１０５  洗浄塔、１０６  塩素精製塔、１０７  塩酸吸収塔、１０８  活性炭塔、１０９  ホスゲン化反応塔、２０１，２０２，２０３，２０４，２０５，２０６，２０７，２０８，２０９，２１０，２１１，２１２，２１３，２１４，２１５，２１６，２１７，２１８，２１９，２２０，２２１，２２２  経路。
【図１】
2005298320.tif 000004